(57)【要約】【課題】ユーザーに対して視認性に優れた遠隔制御装置を備えた空気調和機を提供する。【解決手段】この発明に係る空気調和機は、ユーザーが遠隔制御装置により運転を制御する空気調和機において、遠隔制御装置は、開閉自在な扉と、扉の開閉を検知する扉開閉検知スイッチと、扉が開き、扉開閉検知スイッチが扉の開を検知したときに、当該空気調和機の運転状態の詳細を表示する詳細表示部と、扉が閉じ、扉開閉検知スイッチが扉の閉を検知したときに、当該空気調和機の運転状態の一部を拡大して表示する拡大表示部とを備え、詳細表示部と拡大表示部とを二重液晶パネルで構成したものである。【選択図】図３
2011027343.tif 000002
【特許請求の範囲】
【請求項１】
ユーザーが遠隔制御装置により運転を制御する空気調和機において、
前記遠隔制御装置は、
開閉自在な扉と、
前記扉の開閉を検知する扉開閉検知スイッチと、
前記扉が開き、前記扉開閉検知スイッチが前記扉の開を検知したときに、当該空気調和機の運転状態の詳細を表示する詳細表示部と、
前記扉が閉じ、前記扉開閉検知スイッチが前記扉の閉を検知したときに、当該空気調和機の運転状態の一部を拡大して表示する拡大表示部と、を備え、
前記詳細表示部と前記拡大表示部とを二重液晶パネルで構成したことを特徴とする空気調和機。
【請求項２】
前記拡大表示部に、ユーザーが設定する当該空気調和機の設定温度を表示することを特徴とする請求項１記載の空気調和機。
【請求項３】
前記拡大表示部に、ユーザーが設定する当該空気調和機の設定湿度を表示することを特徴とする請求項１記載の空気調和機。
【請求項４】
前記拡大表示部に、ユーザーが設定する当該空気調和機の運転モードを表示することを特徴とする請求項１記載の空気調和機。
【請求項５】
前記遠隔制御装置は、操作ボタンの近傍に誤動作防止用突起を備えることを特徴とする請求項１乃至４のいずれかに記載の空気調和機。
【発明の詳細な説明】
【技術分野】
【０００１】
この発明は、空気調和機に関するものである。
【背景技術】
【０００２】
従来、下記のようなリモコン（リモートコントローラ、遠隔制御装置）が提案されている。例えば、異なった内容が表示される上下２層で構成された表示部と、開閉自在な扉と、扉の開閉状態を検知するスイッチを備え、扉開では扉内ボタンを直接操作でき、扉閉では扉上のボタンが扉内ボタンを押すことによりリモコン操作が可能となっている。扉の開閉を検知するスイッチのオン、オフ（扉の開閉）により表示部の表示内容及び扉上、扉内ボタンの機能内容を変更することが可能なものである（例えば、特許文献１参照）。
【先行技術文献】
【特許文献】
【０００３】
【特許文献１】特開平２−１６８７９６号公報
【発明の概要】
【発明が解決しようとする課題】
【０００４】
しかしながら、上記特許文献１のリモコンは、表示部に異なる内容を表示する上下２層の操作ボタンで構成されているが、その目的は表示情報量を増やすことであり、表示される文字が小さいため、使用者に対する表示情報の視認性の点では十分とは言えず、改善の余地があった。
【０００５】
この発明は、上記のような課題を解決するためになされたもので、ユーザーに対して視認性に優れた遠隔制御装置を備えた空気調和機を提供する。
【課題を解決するための手段】
【０００６】
この発明に係る空気調和機は、ユーザーが遠隔制御装置により運転を制御する空気調和機において、
遠隔制御装置は、
開閉自在な扉と、
扉の開閉を検知する扉開閉検知スイッチと、
扉が開き、扉開閉検知スイッチが扉の開を検知したときに、当該空気調和機の運転状態の詳細を表示する詳細表示部と、
扉が閉じ、扉開閉検知スイッチが扉の閉を検知したときに、当該空気調和機の運転状態の一部を拡大して表示する拡大表示部と、を備え、
詳細表示部と拡大表示部とを二重液晶パネルで構成したものである。
【発明の効果】
【０００７】
この発明に係る空気調和機は、遠隔制御装置が、開閉自在な扉と、扉の開閉を検知する扉開閉検知スイッチと、扉が開き、扉開閉検知スイッチが扉の開を検知したときに、当該空気調和機の運転状態の詳細を表示する詳細表示部と、扉が閉じ、扉開閉検知スイッチが扉の閉を検知したときに、当該空気調和機の運転状態の一部を拡大して表示する拡大表示部とを備え、詳細表示部と拡大表示部とを二重液晶パネルで構成したので、ユーザーの視認性が上がると共に、設定温度をより意識することにつながり、冷やし過ぎ、暖め過ぎを防止することができる。その結果、省エネ運転に貢献することができる。
【図面の簡単な説明】
【０００８】
【図１】実施の形態１を示す図で、空気調和機で使用するリモコン１の扉開時の平面図。
【図２】実施の形態１を示す図で、空気調和機で使用するリモコン１の扉開時の側面図。
【図３】実施の形態１を示す図で、空気調和機で使用するリモコン１の扉閉時の平面図。
【図４】実施の形態１を示す図で、空気調和機で使用するリモコン１の扉閉時の側面図。
【図５】実施の形態１を示す図で、図３において各ボタンの文字を省いて示す平面図。
【図６】図５のＬ−Ｌ断面図。
【図７】図５のＭ−Ｍ断面図。
【図８】図５のＮ−Ｎ断面図。
【図９】実施の形態１を示す図で、変形例の図８相当図。
【発明を実施するための形態】
【０００９】
実施の形態１．
図１乃至図８は実施の形態１を示す図で、図１は空気調和機で使用するリモコン１の扉開時の平面図、図２は空気調和機で使用するリモコン１の扉開時の側面図、図３は空気調和機で使用するリモコン１の扉閉時の平面図、図４は空気調和機で使用するリモコン１の扉閉時の側面図、図５は図３において各ボタンの文字を省いて示す平面図、図６は図５のＬ−Ｌ線断面図、図７は図５のＭ−Ｍ線断面図、図８は図５のＮ−Ｎ線断面図、図９は変形例の図８相当図である。
【００１０】
図１に示すように、リモコン扉１５（図２）が開いている時のリモコン１（遠隔制御装置）には、冷房、除湿、暖房などの運転モード、設定温度、設定湿度、風速、風向など空気調和機の全ての運転状態を表示する二重液晶パネルの第一層目（下層）である詳細表示部２が設けられている。尚、図１では、リモコン扉１５は省いている。但し、詳細表示部２は、二重液晶の第一層目でなくてもよく、二重液晶の第二層目でもよい。
【００１１】
本実施の形態のリモコン１は、図２に示すように、リモコン扉１５（扉）が下に開く。但し、リモコン扉１５の開閉方向は、これに限定されるものではなく、左右に開くものでもよい。
【００１２】
図１に示す例は、リモコン１の設定などが以下に示す内容のときである。
（１）運転モード：冷房運転；
（２）時刻：１０：０８；
（３）設定温度：２３．５℃；
（４）設定湿度：４０％；
（５）風速：自動；
（６）風向：左右均等、上下スイング吹き。
【００１３】
詳細表示部２の表示方式は、ドットマトリクス方式、又はキャラクター方式のいずれも可能である。
【００１４】
ドットマトリクス方式の場合は、変化に富んだ画像表示を行うために、各画素を格子状に均等配列した液晶パネルを使用している。ドットマトリクス表示の多数の画素にそれぞれ電極の配線をしようとしても、基板周縁部にすべての端子が取り出せなくなることから、アクティブ素子を各画素に配置して駆動を行うか（アクティブマトリクス駆動）、または直交させたストライプ電極を両方の基板に設けて、その交点の液晶を駆動する（単純マトリクス駆動）ことが行われる。
【００１５】
詳細表示部２の下に、空気調和機の運転・停止を行う入／切ボタン３が設けられている。
【００１６】
入／切ボタン３の下に、温度の調節を行う温度調節ボタン７と湿度の調節を行う湿度調節ボタン４とが左右に並べて配置されている。
【００１７】
温度調節ボタン７及び湿度調節ボタン４の下は、リモコン扉１５が開いたときに現れる詳細設定ボタン群５である。詳細設定ボタン群５は、例えば、室内機から吹き出される風速及び風向、タイマーなどの詳細設定を行うときに使用される。
【００１８】
詳細設定ボタン群５の最下部の中央に、リモコン扉１５の開閉を検知する扉開閉検知スイッチ６が設けられている。
【００１９】
リモコン扉１５の裏側に、リモコン扉１５を閉めたときに扉開閉検知スイッチ６を押圧して、オフからオンにする突起（図示せず）が形成されている。
【００２０】
次に動作について説明する。先ず、空気調和機が冷房停止状態で、リモコン扉１５が開の時に、リモコン１の入／切ボタン３を押すことにより空気調和機は冷房運転を開始する例について説明する。
【００２１】
扉開閉検知スイッチ６は、既に述べたように、リモコン扉１５が開の時にオフ、リモコン扉１５が閉の時にオンとなる。
【００２２】
図１では、リモコン扉１５が開いているので扉開閉検知スイッチ６はオフで、それに伴い詳細表示部２が表示される。
【００２３】
次に、室内機から吹き出される風速及び風向、タイマーなどの詳細設定を詳細設定ボタン群５で行う。それが完了したらリモコン扉１５を閉める。
【００２４】
リモコン１は、図３、図４に示す状態となる。その時、リモコン扉１５が閉じられたため、扉開閉検知スイッチ６がオンとなり、それに連動して詳細表示部２（図１）の一部が選択され、且つ拡大された拡大表示部９が表示される。
【００２５】
図３の例は、運転モードの「冷房」、設定温度である「２３．５℃」、設定湿度である「４０％」が拡大されて表示される。時刻は拡大されないで表示される。
【００２６】
図３の例は、一例であって、拡大表示部９に拡大して表示する内容は、任意でよい。風速、風向でもよい。
【００２７】
温度調節ボタン６、湿度調節ボタン４で、温度、湿度の変更も可能である。
【００２８】
リモコン扉１５の表面にも、リモコン扉１５が閉じた状態で操作が可能となるボタンが設けられている。図３の例は、例えば、リモコン扉１５の表面の上部に、冷房ボタン１２、除湿切換ボタン１１、暖房ボタン１０が左右に並べて配置されている。
【００２９】
本実施の形態の空気調和機は、リモコン１と室内機との間で双方向通信で空気調和機の情報を送受信することが可能なものであり、リモコン扉１５の表面の略中央部に、空気調和機の情報を要求する省エネ運転情報要求ボタン１３が設けられている。但し、省エネ運転情報要求ボタン１３に関しては、本題ではないので詳しい説明は省く。
【００３０】
リモコン扉１５の表面の下部に、送風ボタン１４、入タイマーボタン１６、切タイマーボタン１７が左右に並べて配置されている。
【００３１】
リモコン１の拡大表示部９に表示されている運転モードは、暖房ボタン１０、除湿切換ボタン１１、冷房ボタン１２で変更可能である。
【００３２】
空気調和機が停止状態から運転を行う時に、リモコン扉１５が閉じている状態で、入／切ボタン３を押した時には扉開閉検知スイッチ６はオンであるから、通常は拡大表示部９が表示される。
【００３３】
拡大表示部９の表示内容では、詳細な内容（風速、風向など）がわからないので、このとき、二重液晶の第一層目である詳細表示部２を１０秒程度表示する制御を行うことにより、リモコン扉１５閉の状態であっても、空気調和機の詳細設定内容を確認することができる。
【００３４】
このように、多機能空気調和機であっても詳細表示部２と拡大表示部９を、リモコン扉１５の開閉に連動して切り換えることにより、視認性に優れたリモコン１が得られる。
【００３５】
以上のように、リモコン扉１５が閉状態で、設定温度を拡大表示することにより使用者の視認性が上がると共に、設定温度をより意識することにつながり、冷やし過ぎ、暖め過ぎを防止することができる。その結果、省エネ運転に貢献することが可能となる。
【００３６】
また、冷房除湿運転及び除湿運転で重要な設定湿度を拡大表示することにより、冷房除湿運転、除湿運転時の設定湿度の使用者の視認性向上が可能となる。
【００３７】
また、空気調和機で最も重要な運転モード（図３では、「冷房」）を拡大表示することにより、一目で現在の運転モード確認ができ使用者の視認性向上が可能となる。
【００３８】
近年、米国ノースカロライナ州立大学のロナルド・メイスらは、「ユニバーサルデザイン」の考え方を提唱している。その主張は、「できるだけ多くの人が利用可能であるように製品、建物、環境をデザインすること」というものである。
【００３９】
ユニバーサルデザインを進めるにあたっては、ロナルド・メイスらによってまとめられた７原則がよく用いられる。
【００４０】
ユニバーサルデザインの７原則は、
（１）だれにでも公平に利用できること（公平性の原則）。
即ち、だれにでも利用できるようにつくられており、かつ、入手が容易であること。
（２）利用者に応じた使い方ができること（柔軟性の原則）。
即ち、利用者の好みや能力に合うようにつくられていること。
（３）使い方が簡単ですぐわかること（単純性と直感性の原則）。
即ち、使う人の経験や知識、言語能力、集中力に関係なく、使い方がわかりやすくつくられていること。
（４）使い方を間違えても、重大な結果にならないこと（安全性の原則）。
即ち、ついうっかりとか、意図しない行動が、危険や思わぬ結果につながらないようにつくられていること。
（５）必要な情報がすぐに理解できること（認知性の原則）。
即ち、使う人の視覚や聴覚等の感覚能力に関係なく、必要な情報が効果的に伝わるようになっていること。
（６）無理な姿勢をとることなく、少ない力でも楽に使えること（効率性の原則）。
即ち、効率よく、気持ちよく、疲れないで使えるようになっていること。
（７）利用者に応じたアクセスのしやすさと十分な空間が確保されていること（快適性の原則）。
即ち、どのような体格や姿勢、移動能力の人にも、アクセスしやすく、操作がしやすいスペースや大きさになっていること。
【００４１】
本実施の形態における、リモコン扉１５が閉状態で設定温度等を拡大表示する方法は、まさに上記ユニバーサルデザインの考え方に合致するものである。
【００４２】
次に、誤動作を防止することができるリモコン１の構成について説明する。
【００４３】
例えば、リモコン１が、表裏が逆の状態で机等に置かれている場合を想定する。この状態でリモコン１に何らかの外力が加わると、机等に接触しているいずれかのボタンが押され、室内機がユーザーが想定していない運転状態になる恐れがある。
【００４４】
また、例えば、リモコン１が落下して、床にリモコン１の表面が当たるような場合も、同じように誤動作する恐れがある。
【００４５】
そこで、このような場合でも、リモコン１のボタンの机、床等に接触しないで、誤動作を防止できるリモコン１の構成について説明する。
【００４６】
図５はリモコン扉１５が閉じた状態で、各ボタンの文字を省いて示している。
【００４７】
図６（図５のＬ−Ｌ線断面図）に示すように、温度調節ボタン７と湿度調節ボタン４との間に、リモコン１の表面から外側に突出する誤動作防止用突起２０ａが形成されている。
【００４８】
誤動作防止用突起２０ａの温度調節ボタン７と湿度調節ボタン４の表面から外側に突出する長さをＬとすると、Ｌ≧０ｍｍであればよい。
【００４９】
図示はしないが、誤動作防止用突起２０ａのリモコン１の長手方向（図５の上下方向）の長さは、温度調節ボタン７及び湿度調節ボタン４のリモコン１の長手方向の長さと、略等しい。
【００５０】
また、図７（図５のＭ−Ｍ線断面図）に示すように、冷房ボタン１２と除湿切換ボタン１１との間、及び除湿切換ボタン１１と暖房ボタン１０との間に、それぞれ誤動作防止用突起２０ｂ（二個）が形成されている。
【００５１】
誤動作防止用突起２０ｂの冷房ボタン１２、除湿切換ボタン１１、及び暖房ボタン１０の表面から外側に突出する長さをＬとすると、Ｌ≧０ｍｍであればよい。
【００５２】
図示はしないが、誤動作防止用突起２０ｂのリモコン１の長手方向（図５の上下方向）の長さは、冷房ボタン１２、除湿切換ボタン１１、及び暖房ボタン１０のリモコン１の長手方向の長さと、略等しい。
【００５３】
また、図８（図５のＮ−Ｎ線断面図）に示すように、入タイマーボタン１６と切タイマーボタン１７との間に、誤動作防止用突起２０ｃが形成されている。送風ボタン１４と入タイマーボタン１６との間には、誤動作防止用突起２０ｃが形成されていない。一個の誤動作防止用突起２０ａ、二個の誤動作防止用突起２０ｂ、一個の誤動作防止用突起２０ｃがあり、これらがリモコン１の左右方向にずれて配置されているので、送風ボタン１４と入タイマーボタン１６との間に誤動作防止用突起２０ｃがなくても、送風ボタン１４が机などに接触する恐れは少ない。
【００５４】
図示はしないが、誤動作防止用突起２０ｂのリモコン１の長手方向（図５の上下方向）の長さは、入タイマーボタン１６、及び切タイマーボタン１７のリモコン１の長手方向の長さと、略等しい。
【００５５】
但し、図９の変形例に示すように、送風ボタン１４と入タイマーボタン１６との間に誤動作防止用突起２０ｃを設けてもよい。それにより、より一層確実にリモコン１の誤動作を防止することができる。
【００５６】
以上のように、誤動作防止用突起２０ａ、誤動作防止用突起２０ｂ、及び誤動作防止用突起２０ｃを設けることにより、リモコン１の表面が机や床に押えつけられる状態になっても、リモコン１の表面のボタンはオンにならず誤動作を防止することができる。
【符号の説明】
【００５７】
１  リモコン、２  詳細表示部、３  入／切ボタン、４  湿度調節ボタン、５  詳細設定ボタン群、６  扉開閉検知スイッチ、７  温度調節ボタン、９  拡大表示部、１０  暖房ボタン、１１  除湿切換ボタン、１２  冷房ボタン、１３  省エネ運転情報要求ボタン、１４  送風ボタン、１５  リモコン扉、１６  入タイマーボタン、１７  切タイマーボタン、２０ａ  誤動作防止用突起、２０ｂ  誤動作防止用突起、２０ｃ  誤動作防止用突起。
【図１】
2011027343.tif 000003
【図２】
2011027343.tif 000004
【図３】
2011027343.tif 000005
【図４】
2011027343.tif 000006
【図５】
2011027343.tif 000007
【図６】
2011027343.tif 000008
【図７】
2011027343.tif 000009
【図８】
2011027343.tif 000010
【図９】
2011027343.tif 000011